(57)【特許請求の範囲】
【請求項１】
一のラックを複数のブロックに分割し、それぞれのブロックを異なる使用者が通信機器を載置して用いるハウジングラックのダクトの構造において、前記ダクトは、一部に筒状部を設けて内部を分割すると共に任意の位置にケーブルを引き出す引き出し口を設けて前記ハウジングラックの側面部に取り付けられるダクト本体と、前記ダクト本体を前記ハウジングラックの外側から被覆するダクトカバーとからなり、前記ダクトを奥行き寸法に対して幅寸法を短くすることで薄型に形成したことを特徴とするハウジングラックのダクトの構造。
【請求項２】
前記ハウジングラックのダクトの構造において、前記ダクトを上段用ダクトと下段用ダクトを別部品にて形成することを特徴とする請求項１に記載のダクトの構造。
【発明の詳細な説明】
【０００１】
【発明の属する技術分野】
一のラックを複数のブロックに分割し、それぞれのブロックを異なる使用者が通信機器を載置して用いるハウジングラックのダクトの構造に関する。
【０００２】
【従来の技術】
従来技術におけるハウジングラックのダクトは、図４に示すように、ラック本体２１の背面２２の柱２３等にダクト本体２４をねじ止めしていた。ダクト本体２４には、カバー２５を取り付け、ダクトに通したケーブル等が露出しないようにしていた。
【０００３】
【発明が解決しようとする課題】
しかしながら、上記従来技術におけるハウジングラックのダクトでは、サーバー等の重量のあるような機器のように、ラック本体２１に取り付けるとき機器の前後をラック本体２１にねじ止めする場合では、ダクトが機器に干渉したりして、邪魔になり施工性が悪くなっていた。また、カバー２５はダクト本体２４にねじ止めされているだけなので、容易に取り外すことができ、外してしまうと他ブロックの使用者でもダクトに収納されたケーブル等に触れることができるので、安全性に欠けていた。
【０００４】
【課題を解決するための手段】
そこで本発明は、簡単な構造で施工性もよく、セキュリティ性の高い、ハウジングラックのダクトを提供することを目的とし、その構造は、ダクトは、一部に筒状部を設けて内部を分割すると共に任意の位置にケーブルを引き出す引き出し口を設けてハウジングラックの側面部に取り付けられるダクト本体と、ダクト本体をハウジングラックの外側から被覆するダクトカバーとからなり、ダクトを奥行き寸法に対して幅寸法を短くすることで薄型に形成したことを特徴とする。
【０００５】
また、ダクトを上段用ダクトと下段用ダクトを別部品にて形成することを特徴とする。
【０００６】
【発明の実施の形態】
本発明に係るハウジングラックのダクトは、ダクト本体を薄く形成し、ラック側面へ他の機器に干渉しないように取り付ける。ダクト本体の一部は筒状にして分割し、専用の工具でなければ取り付け取り外しができないような特殊な形状のネジで、カバーを取り付ける。ダクトには、任意の位置に引き出し口を設け、ラック内に載置された機器に接続されるケーブルを収めると共に、引き出し口からケーブルを引き出し機器に接続する。ケーブルは、使用者ごとにダクトに分割して収納する。ダクト本体は特殊ネジによりカバーで被覆されているので、容易に取り外すことはできない。また、ダクト本体は筒部が形成されていて使用者によってケーブルの収納場所を変えることができるので、他のブロックの使用者が誤ってケーブルに触れるようなことがない。
【０００７】
また、請求項２に係るハウジングラックのダクトは、ダクト本体を薄く形成し、ラック側面へ他の機器に干渉しないように取り付ける。上段用ダクトと下段用ダクトはそれぞれ筒状に、別部材で形成する。ダクトには、任意の位置に引き出し口を設け、ラック内に載置された機器に接続されるケーブルを収めると共に、引き出し口からケーブルを引き出し機器に接続する。ケーブルは、使用者ごとにダクトに分割して収納する。ダクト本体は特殊ネジによりカバーで被覆されているので、容易に取り外すことはできない。また、ダクト本体は筒部が形成されていて使用者によってケーブルの収納場所を変えることができるので、他のブロックの使用者が誤ってケーブルに触れるようなことがない。
【０００８】
【実施例】
本発明に係る実施例を図１〜図２の添付図面に基づいて説明する。
【０００９】
ハウジングラックは一のラック本体１を仕切り板２等で複数のブロックに分割し、各ブロックをそれぞれ異なる使用者が機器等を載置して用いる。本発明は、機器に接続されるケーブル３等を収納するダクト４の構造に関する。
【００１０】
ダクト４はダクト本体５をダクトカバー６で被覆する形状である。また、奥行き寸法に対して幅寸法を短くすることにより薄型に形成し、ラック本体１の側面部に取り付ける。ダクト本体５の内部は、筒状に上段用ダクト部７を形成し下段用ダクト部８を形成する。ダクト本体５をラック本体１の外側からダクトカバー６で被覆する。ダクトカバー６は専用の工具でないと取り付け取り外しができないような特殊な形状のネジでねじ止めされる。ダクト本体５のラック本体１内側には、引き出し口９を設ける。引き出し口９は内部を分割したダクト４の上段部用ダクト部７に設けたものと、下段部用ダクト部８に設けたものとを用意する。
【００１１】
機器に接続されるケーブル３等をダクト４に収納する。例えば、ラック本体１が上段と下段に分割され、それぞれ使用者が異なる場合、ケーブル３をダクト４内で分割して収納する。上段に載置される機器に接続するケーブルは上段用ダクト部７へ、下段に載置される機器に接続するケーブルは下段用ダクト部８へ収納し、それぞれ使用する段に設けられている引き出し口９より引き出し、ラック本体１に収納されている機器に接続する。
【００１２】
ダクトカバー６は専用の工具でなければ取り外しができない上、ダクトカバー６を外しても、ケーブル３は筒状の上段用ダクト７によって露出しないので、他の使用者が容易にケーブル３に触れることはできない。
【００１３】
本発明の請求項２に係るダクトの構造について説明する。図３に示すように、上段用ダクト１０と下段用ダクト１１を別部材で形成し、上段用ダクト１０は、ラック本体１２の底面１３から天井面１４まで貫通させ、下段用ダクト１１は、下段の天井面１５までの長さで形成する。このように、ダクトの構造は、本発明の趣旨を逸脱しない範囲において適宜変更可能である。
【００１４】
【発明の効果】
以上述べたように、本発明に係るハウジングラックのダクトの構造は、ハウジングラックの側面部にダクト本体を取り付けると共に、ダクト本体の一部を筒状にしてダクト本体を分割し、ダクト本体にダクトカバーを固定するため、ラックに収納される機器への干渉を防ぐことができ、ラック内を有効に使用することができる。また、ダクトは分割されていて、ブロックごとに異なる使用者が載置した機器にそれぞれ配線したケーブルを分割して収納でき、ダクトカバーを外しても、下段部の使用者が上段部のケーブルに誤って触れることを防止し、セキュリティを高めることができると共に、保守点検等の作業性を向上させることができる。
【００１５】
また、ダクトを上段用ダクトと下段用ダクトを別部品にて形成するため、ラックに収納される機器への干渉を防ぐことができ、ラック内を有効に使用することができる。また、ダクトは分割されていて、ブロックごとに異なる使用者が載置した機器にそれぞれ配線したケーブルを分割して収納でき、ダクトカバーを外しても、下段部の使用者が上段部のケーブルに誤って触れることを防止し、セキュリティを高めることができると共に、保守点検等の作業性を向上させることができる。
【図面の簡単な説明】
【図１】本発明に係るダクトの構造を示す説明図である。
【図２】図１におけるダクトの拡大図である。
【図３】本発明に係るダクトの構造の変形実施例を示す説明図である。
【図４】従来技術におけるダクトの構造を示す説明図である。
【符号の説明】
１      ラック本体
２      仕切り板
３      ケーブル
４      ダクト
５      ダクト本体
６      ダクトカバー
７      上段用ダクト部
８      下段用ダクト部
９      引き出し口
１０    上段用ダクト
１１    下段用ダクト
１２    ラック本体
１３    底面
１４    天井面
１５    下段の天井面
【図１】
0004641679.tif 000002
【図２】
0004641679.tif 000003
【図３】
0004641679.tif 000004
【図４】
0004641679.tif 000005